(57)【要約】【課題】扉のサイズにかかわらず取水口の高さ位置を自由に設定することができると共に、容易に安定した取水量を維持することができ、またゲート装置を大型化せずとも増水時にゲート扉が水流を妨げるようなことがない取水ゲート装置を提供する。【解決手段】ゲート扉４下位の水路Ａ底面部を掘り下げてゲート扉４全体が格納可能な格納室７を備え、この格納室７と水路Ａの両側面とに亘って一対のガイドレール５を対向して配設すると共に、このガイドレール５に沿ってゲート扉４を昇降させるラック装置６を備える。そして、取水を行うときには、取水口Ｃの高さ位置に応じた水嵩となるようにゲート扉４を昇降調節する一方、取水を行わないときには、ゲート扉４を下降させて格納室７内へ格納する。【選択図】  図４
2004162300.tif 000002
【特許請求の範囲】
【請求項１】
水路を流下する水流をゲート扉でせき止めて水嵩を調節し、水路内の所定高さ位置に開口させた取水口から取水を行うようにした取水ゲート装置であって、前記ゲート扉下位の水路底面部を掘り下げてゲート扉全体が格納可能な格納室を備え、該格納室と水路の両側面とに亘ってゲート扉の両端部を支持してゲート扉の昇降をガイドする一対のガイドレールを対向して配設すると共に、該ガイドレールに沿ってゲート扉を昇降させるゲート扉昇降手段を備え、取水を行うときには、取水口の高さ位置に応じた水嵩となるようにゲート扉を昇降調節する一方、取水を行わないときには、ゲート扉を下降させて格納室内へ格納するように構成したことを特徴とする取水ゲート装置。
【発明の詳細な説明】
【０００１】
【発明の属する技術分野】
本発明は、水路を流下する水流をゲート扉でせき止めて水嵩を調節し、水路内の所定高さ位置に開口させた取水口から取水を行うようにした取水ゲート装置に関する。
【０００２】
【従来の技術】
従来より、農業用などに設置されている水路においては、水路の途中に多数の取水口を開口させており、これら各取水口より取り込んだ水を個々の田畑などへ供給するようにしている。ところで、田畑などには一年中水を供給する必要はないので、例えば、取水口を水路の底面部よりも若干高い位置に開口させておき、通常は水路内の水流が取水口へと流れ込まないようにする一方、取水が必要なときは、取水口よりも下流側の水路を板状のゲート扉にてせき止め、水嵩を取水口の高さ位置まで上昇させ、水路内の水流の一部を取水口へと流れ込ませて取水するようにしている。
【０００３】
図６乃至図７は、このような従来例を示す説明図であって、図中のＡは水路、Ｂは分水路であり、水路Ａの側面部に開口させた取水口Ｃを介して連結しており、該取水口Ｃは、前記の通り、水路Ａの底面部よりも若干高い位置に開口している。１０１は取水ゲート装置であって、取水口Ｃよりも下流側の水路Ａの両岸に亘って架設した略門形状の架台１０２と、この架台１０２よりラック棒１０３などで吊したゲート扉１０４と、水路Ａの両側面に対向して配設した一対のガイドレール１０５、及びガイドレール１０５に沿ってゲート扉１０４を昇降させるラック装置１０６などとから主要部を構成している。なお、前記ガイドレール１０５は、断面略コ字形状の溝部を有したレール体であって、この溝部にゲート扉１０４の両端部を嵌め込んで支持させ、ゲート扉１０４の昇降をガイドするようにしたものである。
【０００４】
そして、取水を行わないときは、図６にて示すように、ゲート扉１０４を架台１０２上部まで上昇させ、水路Ａ内の水流をせき止めることなくそのまま流下させて水嵩を取水口Ｃよりも下位側へ保ち、取水が行われないようにしている。一方、取水を行うときには、図７にて示すように、ゲート扉１０４を水路Ａの底面部まで下降させ、水路Ａ内の水流をせき止めて水嵩を取水口Ｃよりも上位側へと上昇させて、取水口Ｃより取水が行われるようにしている。
【０００５】
【発明が解決しようとする課題】
しかしながら、上記のごとき従来の取水ゲート装置１０１では、ゲート扉１０４のサイズによって取水口Ｃの高さ位置が限定されるため、それぞれの現場の状況に合わせて、例えば、取水した水の良好な流下を考慮するために、取水口Ｃの高さ位置を自由に設定するといったことはできなかった。また、取水口Ｃを複数設置したいと思っても、現場の状況によっては各取水口の高さ位置がどうしても異なる状況もあり、その場合、従来の取水ゲート装置１では対応することができなかった。また、取水時においては、水路Ａ内の水流量の変動によって水嵩が上下動すると取水量に大きく影響を及ぼすが、従来の取水ゲート装置１０１では水嵩を微調整するような機能はなく、安定した取水量を維持するのが難しかった。更に、図６からも分かるように、取水ゲート装置１０１はゲート扉１０４を全開してもその下端部が水路Ａ内に差し掛かっている構造であるため、台風などによって水路Ａ内の水流量が激増するとゲート扉１０４下端部が水流を妨げてしまい、最悪の場合には水路Ａ脇に水が溢れて洪水の原因となるおそれがあった。これに対応するため、例えば、架台１０２高さを十分にとるようにすれば、ゲート扉１０４全開時にゲート扉１０４下端部が水路Ａ内に差し掛からなくすることは可能となるが、取水ゲート装置１０１そのものが大型化してしまい、コスト面で不利であると共に、景観上あまり好適であるとは言えない。
【０００６】
本発明は上記の点に鑑み、扉のサイズにかかわらず取水口の高さ位置を自由に設定することができると共に、容易に安定した取水量を維持することができ、またゲート装置を大型化せずとも増水時にゲート扉が水流を妨げるようなことがない取水ゲート装置を提供することを課題とする。
【０００７】
【課題を解決するための手段】
上記の課題を解決するために、本発明の取水ゲート装置にあっては、水路を流下する水流をゲート扉でせき止めて水嵩を調節し、水路内の所定高さ位置に開口させた取水口から取水を行うようにした取水ゲート装置であって、前記ゲート扉下位の水路底面部を掘り下げてゲート扉全体が格納可能な格納室を備え、該格納室と水路の両側面とに亘ってゲート扉の両端部を支持してゲート扉の昇降をガイドする一対のガイドレールを対向して配設すると共に、該ガイドレールに沿ってゲート扉を昇降させるゲート扉昇降手段を備え、取水を行うときには、取水口の高さ位置に応じた水嵩となるようにゲート扉を昇降調節する一方、取水を行わないときには、ゲート扉を下降させて格納室内へ格納するように構成したことを特徴としている。
【０００８】
【発明の実施の形態】
本発明に係わる取水ゲート装置によれば、水路に開口させる取水口は、ゲート扉のサイズなどに影響されることなく現場の状況に応じた高さ位置に自由に開口させる。そして、取水を行う場合には、ラック装置などのゲート扉昇降手段を操作して格納室よりゲート扉を徐々に上昇させていき、取水口の高さ位置に応じた水嵩となるように微調整して取水を行う。一方、取水を行わない場合には、ゲート扉昇降手段を操作して格納室内へゲート扉全体を格納し、水流の流下を妨げるものがないように水路を開放する。
【０００９】
このように、本発明の取水ゲート装置では、取水を行う場合においては、ゲート扉を水路の底面部側からせり上げていく構造としているため、ゲート扉の高さを自在に調節することができて水嵩の調節を可能とし、その結果、取水口の高さ位置を現場の状況に合った最良の位置に自由に開口させることができる。また、高さ位置の異なる複数の取水口を開口させた場合であっても、ゲート扉の高さを調節することで容易に何れの取水口にも合った水嵩が得られ、好適に対応することができる。また、水路内の水流量の変動によって水嵩が上下動した際にも、ゲート扉を昇降調節すれば容易に水嵩を調整することができ、安定した取水量の維持を可能とする。一方、取水を行わない場合においては、ゲート扉全体を格納室内へ格納するため、スムーズな水流を維持することができ、特に台風時などにおいて水流量が激増した際にも、ゲート扉の一部が水流を妨げるといったおそれがない。
【００１０】
【実施例】
以下、本発明の実施例を図面に基づいて説明する。
【００１１】
図中のＡは農業用などの水路、Ｂはその水路Ａを分岐して個々の田畑などへ水を供給するための分水路であり、水路Ａの側面部に開口させた取水口Ｃを介して連結している。ここで、前記取水口Ｃは、少なくとも水路Ａの底面部よりも高い位置でさえあれば、それぞれの現場の状況に合った最良の位置に自由に開口させることができる。
【００１２】
１は本発明の取水ゲート装置であって、従来例と略同様の構造としており、前記取水口Ｃよりも下流側の水路Ａの両岸に亘って架設した略門形状の架台２と、この架台２よりラック棒３などで吊したゲート扉４と、水路Ａの両側面に対向して配設した一対のガイドレール５、及びガイドレール５に沿ってゲート扉４を昇降させる、ゲート扉昇降手段であるラック装置６とから主要部を構成している。ここで、前記ガイドレール５は、断面略コ字形状の溝部を有したレール体であって、この溝部にゲート扉４の両端部を嵌め込んで支持し、ゲート扉４の昇降をガイドするようにしている。
【００１３】
７はゲート扉４全体を格納可能とした格納室であって、ゲート扉４の真下に位置する水路Ａの底面部を略ゲート扉４サイズ程度掘り下げた構造としている。そして、前記格納室７の両側面にもガイドレール５を配設しており、図面からも分かるように、ガイドレール５は格納室７と水路Ａの両側面とに亘って連設した構造としている。したがって、ゲート扉４はガイドレール５のガイドにより、図３に示すように、全面を完全に水路Ａ下方の格納室へ格納させた状態から、図４に示すように、略全面を水路Ａ内にあらわした状態まで昇降可能としている。
【００１４】
８はゴミ除け用のプレート８であって、ゲート扉４格納時にゲート扉４と水路Ａ底面部との隙間を極力減らして、格納室７内部へゴミなどが入り込まないように図っている。また、ゲート扉４の周囲には水密ゴム９を固着しており、やはり格納室７内部へのゴミなどの侵入を阻止するように図っている。
【００１５】
しかして、上記取水ゲート装置１において、先ず、取水を行わない場合には、作業者はラック装置６を操作してゲート扉４をガイドレール５下端部まで下降させ、図３に示すように、格納室７内へゲート扉４全体を格納させる。したがって、水路Ａ内の水流はゲート扉４にせき止められることはなく流下し、水嵩は少なくとも取水口Ｃの下端部よりも下位側に保たれて取水は行われない。
【００１６】
このように、取水を行わないときには、水路Ａ内にはゲート扉４の一部さえも差し掛かっていない状態とし、水路Ａを完全に開放することができるため、台風などによって水路Ａ内の水流が激増した際においても、ゲート扉４が水流を妨げるようなことはなく、取水ゲート装置１周囲に水が溢れるようなおそれはない。
【００１７】
一方、取水口Ｃより取水を行う場合には、作業者はラック装置６を操作してゲート扉４をガイドレール５に沿って上昇させ、取水口Ｃの高さ位置に応じた水嵩となるように、即ち図４で示す、取水口Ｃより所望する量の取水量が得られるような水嵩となるように、ゲート扉４の高さを微調整して取水を行う。
【００１８】
このように、ゲート扉４の高さを自在に調節することができるため、水嵩の事細かな調節が可能となり、その結果、取水口Ｃの高さ位置を現場の状況に合った最良の位置に自由に開口させることができ、好適な取水作業を実現できる。また、水路Ａ内の水流量の変動によって水嵩が上下動した際においても、ゲート扉４を昇降調節すれば容易に水嵩を調整することができ、安定した取水量を維持することが可能となる。同様に、取水量を増加、或いは減少させたいような場合においても、同様にゲート扉４を昇降調節すれば容易に対応することができる。
【００１９】
また、図５は取水口を複数開口させた場合を示す説明図であって、取水ゲート装置１は図１乃至図４に示したものと同一のものである。この実施例においては、水路Ａに対して二つの分水路Ｂ１、Ｂ２をそれぞれ取水口Ｃ１、Ｃ２を介して連結しており、各取水口Ｃ１、Ｃ２は若干異なる高さ位置に開口している。
【００２０】
そして、何れかの取水口Ｃ１、Ｃ２より取水を行う場合には、ラック装置６を操作してゲート扉４をガイドレール５に沿って上昇させ、取水を行う何れかの取水口Ｃ１、Ｃ２の高さ位置に応じた水嵩となるようにゲート扉４の高さを微調整して取水を行う。なお、図５においては低位置側の取水口Ｃ１からのみ取水を行う状態を示しているが、両方の取水口Ｃ１、Ｃ２より取水を行う場合には、高位置側の取水口Ｃ２の高さ位置に合わせてゲート扉４の高さを調節すればよく、また高位置側の取水口Ｃ２だけから取水を行う場合には、例えば、低位置側の取水口Ｃ１に角落としなどの堰板を備え、取水口Ｃ１を閉鎖した上で取水口Ｃ２の高さ位置に合わせてゲート扉４の高さを調節するようにすればよい。
【００２１】
このように、取水ゲート装置１の上流側に高さ位置の異なる取水口Ｃ１、Ｃ２を開口させた場合であっても、ゲート扉４の高さを調節することで容易に何れの取水口Ｃ１、Ｃ２にも合った水嵩が得られ、好適に対応することができる。また、逆に、このゲート扉４の高さ調節機能を利用し、取水口を複数開口する場合に各取水口の高さ位置を敢えて異なるように開口すれば、所望の取水口から自在に取水を行うことが可能となる。
【００２２】
なお、図５においては、取水口Ｃ１、Ｃ２を二つ開口させた場合を示しているが、これに限定するものではなく、三つ以上開口させても同様に好適に対応することができる。
【００２３】
また、本実施例においては、ゲート扉昇降手段としてラック装置６をあげているが、これに限定するものではなく、例えば、架台２から吊したワイヤーなどでゲート扉４を昇降自在に吊り下げるようにしたものでもよく、またシリンダー装置などのピストンロッド先端部にゲート扉４を連結して伸縮駆動させることで昇降させるようにしたものなど、あらゆる手段を採用することができる。
【００２４】
また、その他の実施例として、ラック装置６などのゲート扉昇降手段に駆動装置を備えると共に、該駆動装置を駆動制御する制御装置を備え、該制御装置には各取水口Ｃ１、Ｃ２の高さ位置を予め記憶させておき、取水を行うときには、取水を行う方の取水口Ｃ１、Ｃ２の高さ位置を読み出し、それに応じて駆動装置を駆動させてゲート扉４を昇降調節するようにすれば、簡単な操作で容易に取水作業を行うことができると共に、各取水口Ｃ１、Ｃ２に応じてゲート扉４の高さを一定にすることができ、安定した取水量が維持し易い。
【００２５】
また、上記実施例に加えて、水路Ａや、各分水路Ｂ１、Ｂ２に水流量計測用の流量計を備え、制御装置には各分水路Ｂ１、Ｂ２の所望水流量を予め設定して記憶させておき、取水を行うときには、各流量計にて計測したそれぞれの水流量を制御装置に取り込み、これらの水流量と所望水流量とを比較し、この比較した結果に基づいてゲート扉４を昇降調節するようにすれば、より安定した取水量を得ることができる。
【００２６】
【発明の効果】
以上のように本発明に係る取水ゲート装置によれば、水路を流下する水流をゲート扉でせき止めて水嵩を調節し、水路内の所定高さ位置に開口させた取水口から取水を行うようにした取水ゲート装置であって、前記ゲート扉下位の水路底面部を掘り下げてゲート扉全体が格納可能な格納室を備え、該格納室と水路の両側面とに亘ってゲート扉の両端部を支持してゲート扉の昇降をガイドする一対のガイドレールを対向して配設すると共に、該ガイドレールに沿ってゲート扉を昇降させるゲート扉昇降手段を備え、取水を行うときには、取水口の高さ位置に応じた水嵩となるようにゲート扉を昇降調節する一方、取水を行わないときには、ゲート扉を下降させて格納室内へ格納するように構成したので、ゲート扉の高さを調節することで水嵩の調節が可能となり、取水口の高さ位置を現場の状況に合った位置に自由に開口させることができると共に、水路内の水流量の変動に対しても柔軟に対応でき、安定した取水量の維持が可能となる。また、ゲート扉全体を格納室内へ格納できるため、台風時などにおいて水流量が激増した際にも、水流を妨げずにスムーズに流下させることができる。
【図面の簡単な説明】
【図１】本発明に係る取水ゲート装置の一実施例を示す一部切り欠き正面図である。
【図２】図１の一部切り欠き側面図である。
【図３】本発明に係る取水ゲート装置のゲート扉を格納室に格納し、取水を行わない状態を示す斜視図である。
【図４】ゲート扉を上昇させ、取水口より取水を行う状態を示す図３に相当する図である。
【図５】複数の取水口を備えた場合の図４に相当する図である。
【図６】従来の取水ゲート装置を示す図３に相当する図である。
【図７】従来の取水ゲート装置を示す図４に相当する図である。
【符号の説明】
１…取水ゲート装置                  ２…架台
４…ゲート扉                        ５…ガイドレール
６…ラック装置（ゲート扉昇降手段）  ７…格納室
Ａ…水路                            Ｂ…分水路
Ｃ…取水口
【図１】
2004162300.tif 000003
【図２】
2004162300.tif 000004
【図３】
2004162300.tif 000005
【図４】
2004162300.tif 000006
【図５】
2004162300.tif 000007
【図６】
2004162300.tif 000008
【図７】
2004162300.tif 000009